(57)【要約】      （修正有）【課題】電気電子機器等の収納用キャビネットのハンドルの止金構造として、該キャビネットの形状及びハンドルが異なっても扉を閉状態に鎖錠し、パッキンの劣化による扉のガタつきを効果的に防止できるようにするハンドルの止金構造を提供する。【解決手段】電気電子機器等の収納用キャビネットの本体１に対して開閉する扉２にはハンドル３を軸支するハンドル軸４が扉１の内側のＬ字状の扉側止金６の縦片６Ａに取り付けられてあって、扉２の内面とパッキン５を介して支持されるように本体１のコ字状受け部１ＡにＬ字状の本体側止金７の縦片７Ａが係止され、扉側止金６の横片６Ｂは横方向に長い長孔が形成されており、この長孔を介して本体側止金７の横片７Ｂと螺着されて、本体１のコ字状受け部１Ａの下面１Ｃと本体側止金７の縦片７Ａとの係止位置を調整自在とした構成の電気電子機器等の収納用キャビネットのハンドルの止金構造である。【選択図】図１
2009185569.tif 000002
【特許請求の範囲】
【請求項１】
電気電子機器等の収納用キャビネットの本体に対して開閉する扉に取り付けたハンドルを軸支するハンドル軸が扉の内側のＬ字状の扉側止金の縦片に取り付けられるとともに該扉側止金の横片はＬ字状の本体側止金の横片と螺着されて、本体側止金の縦片は扉の内面とパッキンを介して支持された本体の受け部に係止されてなる電気電子機器等の収納用キャビネットのハンドルの止金構造であって、該扉側止金の横片に設けた横方向に長い長孔を介して該本体側止金の横片と本体の受け部との係止位置を調整自在に螺着したことを特徴とする電気電子機器等の収納用キャビネットのハンドルの止金構造。
【発明の詳細な説明】
【技術分野】
【０００１】
本発明は電気電子機器等の収納用キャビネットのハンドルの止金構造に関するものである。
【背景技術】
【０００２】
従来、電気電子機器等の収納用キャビネットの止金構造として種々提案されている。例えば、特許文献１記載のように受け金の磨耗による扉のガタつきを効果的に防止できる配電盤の扉ロック装置として配電盤の扉に取り付けたハンドルの軸部後端に掛け金としてレバー形の爪金を連結し、ハンドル操作により爪板を配電盤の筐体に設けた受け金に係合して扉を閉位置に鎖錠する配電盤の扉ロック装置が提案されている。
【０００３】
【特許文献１】特開２００５−１８８１５８号公報の図１
【発明の開示】
【発明が解決しようとする課題】
【０００４】
しかしながら、上記特許文献１記載の提案では、筐体に設けた受け金とレバー形の爪金との位置が一定であるので、該キャビネットの形状や多種類あるハンドルのハンドル軸の高さ違いに対応した複数の止金が必要である。
【０００５】
本発明は、上記問題点を解消し、該キャビネットの形状及びハンドルが異なっても扉を閉じた状態に鎖錠し、パッキンの劣化による扉のガタつきを効果的に防止できるようにする電気電子機器等の収納用キャビネットのハンドルの止金構造を提供することを目的とする。
【課題を解決するための手段】
【０００６】
本発明の電気電子機器等の収納用キャビネットのハンドルの止金構造は、電気電子機器等の収納用キャビネットの本体に対して開閉する扉に取り付けたハンドルを軸支するハンドル軸が扉の内側のＬ字状の扉側止金の縦片に取り付けられるとともに該扉側止金の横片はＬ字状の本体側止金の横片と螺着されて、本体側止金の縦片は扉の内面とパッキンを介して支持された本体の受け部に係止されてなる電気電子機器等の収納用キャビネットのハンドルの止金構造であって、該扉側止金の横片に設けた横方向に長い長孔を介して該本体側止金の横片と本体の受け部との係止位置を調整自在に螺着したことを特徴とする。
【発明の効果】
【０００７】
本発明の電気電子機器等の収納用キャビネットのハンドルの止金構造は、電気電子機器等の収納用キャビネットの本体に対して開閉する扉に取り付けたハンドルを軸支するハンドル軸が扉の内側のＬ字状の扉側止金の縦片に取り付けられるとともに該扉側止金の横片はＬ字状の本体側止金の横片と螺着されて、本体側止金の縦片は扉の内面とパッキンを介して支持された本体の受け部に係止されてなる電気電子機器等の収納用キャビネットのハンドルの止金構造であって、該扉側止金の横片に設けた横方向に長い長孔を介して該本体側止金の横片と本体の受け部との係止位置を調整自在に螺着したことにより、該キャビネットの形状及びハンドルが異なっても扉を閉状態に鎖錠し、パッキンの劣化にともなう該キャビネットの本体と扉の隙間を密接でき電気電子機器等の収納用キャビネットの防水及び防塵の信頼性が向上する。
【発明を実施するための最良の形態】
【０００８】
本発明の実施の形態を図面に基づいて以下、説明する。なお、この実施の形態によって本発明が限定されるものではない。
【０００９】
図１において、電気電子機器等の収納用キャビネットは本体１と扉２からなる。本体１は電気電子機器等の収納用キャビネットの前面において開口した縦方向に長い箱形状であり、扉２で本体１の前面の開口部を開閉し、その扉２の開閉は扉２に軸支されたハンドル３にて鎖錠したり解除したりする。この実施の形態で説明する電気電子機器等の収納用キャビネットは縦置きであるが、横置きにした場合には以下説明の横片および縦片をそれぞれ縦片および横片に置き換えた電気電子機器等の収納用キャビネットのハンドルの止金構造である。
【００１０】
図２において、扉２が本体１に閉じた状態でハンドル３はハンドル軸４に設けられている。ハンドル軸４は扉１の内側に延びており、扉１の内側に設けてあるＬ字状の扉側止金６の縦片６Ａに取り付けられて、ハンドル３を軸支するようにしている。また、本体１には扉２と対面する位置にコ字状の受け部１Ａが一体に形成されており、本体１と扉２の隙間を密接できるように受け部１Ａの上面１Ｂがパッキン７を介して支持されている。
【００１１】
図３および図４において、扉側止金６の横片６Ｂには横方向に延びる２条の長い長孔８が形成されている。扉側止金６の横片６ＢはＬ字状の本体側止金７の横片７Ｂと２本のねじ９にて螺着されており、本体側止金７の横片７Ｂが扉側止金６の横片６Ｂ上を移動可能に螺着されている。
【００１２】
図２において、本体側止金７の縦片７Ａは扉２の内面とパッキン５を介して支持された本体１のコ字状受け部１Ａの下面１Ｃに係止されている。本体側止金７の縦片７Ａとコ字状受け部１Ａの下面１Ｃとの係止位置は、扉側止金６の横片６Ｂ上を移動可能とした本体側止金７の横片７Ｂとの螺着により本体１のコ字状受け部１Ａの下面１Ｃと本体側止金７の縦片７Ａとの係止位置が調整自在となっている。
【００１３】
このように電気電子機器等の収納用キャビネットのハンドルの止金は扉側止金６と本体側止金７とからなり、本体１のコ字状受け部１Ａの下面１Ｃと本体側止金７の縦片７Ａとの係止位置を扉側止金６の横片６Ｂに設けた横方向に長い長孔８を介して扉側止金６の横片６Ｂと本体側止金７の横片７Ｂとの螺着により調整自在とすることにより、該キャビネットの形状及びハンドルが異なって本体１のコ字状受け部１Ａの下面１Ｃと本体側止金７の縦片７Ａとの係止位置が異なっても扉２を閉じた状態に鎖錠し、パッキン５の劣化による扉２のガタつきを効果的に防止できる。その係止位置が異なる止金を複数用意する必要がなく止金が集約できて従来のハンドルの止金構造と比べてコスト低減を図ることができる。
【図面の簡単な説明】
【００１４】
【図１】図２のＡ−Ａ線の断面図である。
【図２】本発明の実施の形態を示す電気電子機器等の収納用キャビネットの正面図である。
【図３】本発明のハンドルの止金構造の要部を示す側面図である。
【図４】本発明のハンドルの止金構造の要部を示す正面図である。
【符号の説明】
【００１５】
１  本体
２  扉
３  ハンドル
４  ハンドル軸
５  パッキン
６  扉側止金
７  本体側止金
８  長孔
９  ねじ
【図１】
2009185569.tif 000003
【図２】
2009185569.tif 000004
【図３】
2009185569.tif 000005
【図４】
2009185569.tif 000006